(57)【要約】【課題】  着脱式フライホイール装置の提供。【解決手段】  本発明の着脱式フライホイール装置はディスプレイ表面に置かれてディスプレイの表示設定値を調整するのに用いられ、それはフライホイールによりディスプレイの表示設定値を調整し、使用者の視線をディスプレイと着脱式フライホイール装置の間で往復させる必要がなく、マンマシンインタフェースの使いやすさを増す。このほか、使用者がそれを適当な位置に移動させるか、或いは不使用の状況で取り外して他人によるディスプレイの表示設定値の改修を防止することができる。【選択図】        図６
2005093409.tif 000002
【特許請求の範囲】
【請求項１】
ディスプレイの表示設定値を調整するのに用いられる着脱式フライホイール装置であり、フライホイール、横棒、支持フレーム、支持バネ、開閉器、発光器、光検出器、マイクロプロセッサを具え、
該フライホイールは回転と押し下げ操作に供され、その中間に異なる距離の空隙が設けられ、
該横棒は、フライホイールの中心点に挿通され、
該支持フレームは横棒を支持し並びに横棒の水平及び垂直移動範囲を制限し、
該支持バネは横棒を支持し、
該開閉器は支持バネの中間に設置されて横棒と接触する時に切り換え信号を出力し、
該発光器は光源を提供し、
該光検出器は発光器の提供する光を検出し並びに検出信号を出力し、
該マイクロプロセッサは切り換え信号と検出信号によりディスプレイの表示設定値を調整し、
該着脱式フライホイール装置がディスプレイの任意の位置に設置されたことを特徴とする、着脱式フライホイール装置。
【請求項２】
請求項１記載の着脱式フライホイール装置において、異なる距離の空隙が距離が漸増する空隙とされたことを特徴とする、着脱式フライホイール装置。
【請求項３】
請求項２記載の着脱式フライホイール装置において、フライホイールが回転する時、空隙の変化により検出信号が長いものから短いものに変化すると、マイクロプロセッサがフライホイールが前向きに回転したと判断し、検出信号が短いものから長いものに変化すると、マイクロプロセッサがフライホイールが後ろ向きに回転したと判断することを特徴とする、着脱式フライホイール装置。
【請求項４】
請求項１記載の着脱式フライホイール装置において、表示設定値が変更された時、ディスプレイが該表示設定値により調整した画面を表示することを特徴とする、着脱式フライホイール装置。
【請求項５】
請求項１記載の着脱式フライホイール装置において、着脱式フライホイール装置がディスプレイの側辺に設けられたことを特徴とする、着脱式フライホイール装置。
【発明の詳細な説明】
【技術分野】
【０００１】
本発明は一種のフライホイール装置に係り、特に、ディスプレイの表示設定値の調整に用いられる着脱式フライホイール装置に関する。
【背景技術】
【０００２】
ディスプレイは情報内容を表示する目的で使用され、科学技術の進歩により使用者のディスプレイに対する要求もますます高くなり、例えば、輻射量の低減の要求に対して無輻射量の液晶ディスプレイが開発され、また、平面直角の要求に対してフラットパネルディスプレイが開発された。
【０００３】
しかし、現在市販されているディスプレイは一般に一部の誤差を有し、例えばディスプレイ画面の位置の偏移或いは画面の色彩の飽和不十分などがある。ディスプレイの表示画面を使用者の要求に合致させるため、ディスプレイには表示設定値調整器及びオンスクリーンディスプレイ（Ｏｎ  Ｓｃｒｅｅｎ  Ｄｉｓｐｌａｙ；ＯＳＤ）が設けられている。図１に示されるように、表示設定値調整器によりＯＳＤの提供する設定値を調整し、間接的にディスプレイの表示設定値、例えば図２のディスプレイ輝度設定値、或いは図３のディスプレイ作業クロック設定値を調整することにより使用者の要求に合致させる。図４或いは図５に示されるように、ディスプレイ１０の表示設定値調整器はボタン式調整器２０及びフライホイール式調整器３０に分けられる。ボタン式調整器２０は一般に三つのボタン、即ち、選択ボタン２４（確認機能も具備する）、増加ボタン２６（前進項目選択機能を含む）、及び減少ボタン２２（後退項目選択機能を含む）を具え、これにより適当な機能選択を行なえ、並びに調整値の入力を行なってディスプレイの表示画面を修正することができる。フライホイール式調整器３０の運転とボタン式調整器２０は似ているが、異なるところは、フライホイールの前向き、後ろ向きの回転により増加ボタン２６、減少ボタン２２の機能の代わりとし、並びに選択ボタン３２を設置して選択ボタン２４の機能を実行するところである。そのうち、フライホイール式調整器３０の構造には多くのものがあり、例えば特許文献１がある。
【０００４】
しかし、使用者がボタン式調整器２０及びフライホイール式調整器３０によりディスプレイの表示設定値を調整する時、その視線はディスプレイ１０と表示設定値調整器の間を往復移動し、その制御方式は使いにくく、使用者がスクリーン調整の過程で、疲労を覚える。以上から分かるように、種々値のディスプレイの表示設定値調整器には欠点がある。
【０００５】
【特許文献１】米国特許第５，９１２，６６３号明細書
【発明の開示】
【発明が解決しようとする課題】
【０００６】
本発明の主要な目的は、着脱式フライホイール装置を提供することにあり、それは表示設定値調整器の機能を具備するものとする。
【０００７】
本発明のもう一つの目的は、ディスプレイの適当な位置に設置でき、また取り外すことができる着脱式フライホイール装置を提供することにある。
【課題を解決するための手段】
【０００８】
請求項１の発明は、ディスプレイの表示設定値を調整するのに用いられる着脱式フライホイール装置であり、フライホイール、横棒、支持フレーム、支持バネ、開閉器、発光器、光検出器、マイクロプロセッサを具え、
該フライホイールは回転と押し下げ操作に供され、その中間に異なる距離の空隙が設けられ、
該横棒は、フライホイールの中心点に挿通され、
該支持フレームは横棒を支持し並びに横棒の水平及び垂直移動範囲を制限し、
該支持バネは横棒を支持し、
該開閉器は支持バネの中間に設置されて横棒と接触する時に切り換え信号を出力し、
該発光器は光源を提供し、
該光検出器は発光器の提供する光を検出し並びに検出信号を出力し、
該マイクロプロセッサは切り換え信号と検出信号によりディスプレイの表示設定値を調整し、
該着脱式フライホイール装置がディスプレイの任意の位置に設置されたことを特徴とする、着脱式フライホイール装置としている。
請求項２の発明は、請求項１記載の着脱式フライホイール装置において、異なる距離の空隙が距離が漸増する空隙とされたことを特徴とする、着脱式フライホイール装置としている。
請求項３の発明は、請求項２記載の着脱式フライホイール装置において、フライホイールが回転する時、空隙の変化により検出信号が長いものから短いものに変化すると、マイクロプロセッサがフライホイールが前向きに回転したと判断し、検出信号が短いものから長いものに変化すると、マイクロプロセッサがフライホイールが後ろ向きに回転したと判断することを特徴とする、着脱式フライホイール装置としている。
請求項４の発明は、請求項１記載の着脱式フライホイール装置において、表示設定値が変更された時、ディスプレイが該表示設定値により調整した画面を表示することを特徴とする、着脱式フライホイール装置としている。
請求項５の発明は、請求項１記載の着脱式フライホイール装置において、着脱式フライホイール装置がディスプレイの側辺に設けられたことを特徴とする、着脱式フライホイール装置としている。
【発明の効果】
【０００９】
本発明の着脱式フライホイール装置はディスプレイ表面に置かれてディスプレイの表示設定値を調整するのに用いられ、それはフライホイールによりディスプレイの表示設定値を調整し、使用者の視線をディスプレイと着脱式フライホイール装置の間で往復させる必要がなく、マンマシンインタフェースの使いやすさを増す。このほか、使用者がそれを適当な位置に移動させるか、或いは不使用の状況で取り外して他人によるディスプレイの表示設定値の改修を防止することができる。
【発明を実施するための最良の形態】
【００１０】
本発明の着脱式フライホイール装置は、ディスプレイの表示設定値を調整するのに用いられ、フライホイール、横棒、支持フレーム、支持バネ、開閉器、発光器、光検出器、マイクロプロセッサを具え、フライホイールは回転と押し下げ操作に供され、その中間に異なる距離の空隙が設けられ、横棒は、フライホイールの中心点に挿通され、支持フレームは横棒を支持し並びに横棒の水平及び垂直移動範囲を制限し、支持バネは横棒を支持し、開閉器は支持バネの中間に設置されて横棒と接触する時に切り換え信号を出力し、発光器は光源を提供し、光検出器は発光器の提供する光を検出し並びに検出信号を出力し、マイクロプロセッサは切り換え信号と検出信号によりディスプレイの表示設定値を調整し、該着脱式フライホイール装置はディスプレイの適当な位置に設置される。
【００１１】
使用者はフライホイールを回転させるか或いはフライホイールを押し下げるだけで、ディスプレイの表示設定値の調整を実行でき、その動作は簡単で直感的であり、使用者の視線はディスプレイに停留したままで往復移動不要であり、疲労を覚えることがない。また、光学技術を使用してフライホイールの回転方向を判断することで、正確なだけでなく、機械式構造の磨損と灰塵敏感度が高くなる欠点を防止できる。このほか、本発明の着脱式フライホイール装置はディスプレイの適当な位置に配置され、その位置は使用者により決定される。以上から分かるように、本発明の着脱式フライホイール装置は本発明の目的を達成できる。
【実施例１】
【００１２】
図６に示されるように、本発明の着脱式フライホイール装置４０は以下の構成要件からなる。
【００１３】
フライホイール４２は、その表面が使用者による回転操作に供され（着脱式フライホイール装置４０に対しては水平方向に活動）、その中間に異なる距離の空隙が設けられ、本発明の着脱式フライホイール装置４０が前向き回転か或いは後ろ向き回転か（フライホイール４２に対しては水平方向の動作）の判断の根拠とされ、周知の技術のフライホイールの前向き、及び後ろ向き回転或いは増加ボタン２６、及び減少ボタン２２の機能を果たす。このほか、使用者はそれを押し下げる動作（フライホイール４２に対しては垂直方向の動作）を行なって、周知の技術の選択ボタン２４或いは３２の機能を達成する。
【００１４】
横棒４４は、フライホイール４２の中心点を貫通し、並びに支持フレーム４６、及び支持バネ４８によりその重量が支持される。
【００１５】
支持フレーム４６は、横棒４４及びフライホイール４２の重量を支持し、このほか、支持フレーム４６は横棒４４の水平及び垂直移動範囲を制限し、これにより、使用者のフライホイール４２に対する回転操作及び押し下げの操作による着脱式フライホイール装置４０の損壊の形成を防止する。
【００１６】
支持バネ４８は、横棒４４及びフライホイール４２の重量を支持する。
【００１７】
開閉器５０は、支持バネ４８の中間に置かれ、使用者がフライホイール４２を押し下げて横棒４４が垂直に下向きに移動して横棒４４が開閉器５０に接触する時、開閉器５０が駆動されて切り換え信号をマイクロプロセッサ５６に出力し、こうして周知の技術の選択ボタン２４、或いは３２の機能を達成する。支持フレーム４６が横棒４４の垂直移動範囲を制限することにより、使用者が開閉器５０を駆動する時、フライホイール４２の最大垂直移動範囲が既に達成されているため使用者はフライホイール４２を更に垂直移動させることはできない。
【００１８】
発光ダイオード５２は光源を提供する。
【００１９】
光検出器５４は、発光ダイオード５２の提供する光を検出し、フライホイール４２の中間の空隙が大きくなるほど、比較的長い検出信号（連続する検出信号）を検出してマイクロプロセッサ５６に出力する。図９に示されるように、フライホイール４２の中間に異なる距離の空隙が設けられ、仮にその空隙の距離が長いものから短いものに変化すると、図１０に示されるように、光検出器５４の出力する検出信号は長いものから短いものに変化する。このときマイクロプロセッサ５６は使用者が前向きにフライホイール４２を回したと判断し、周知の、フライホイール４２の前向き、及び増加ボタン２６の機能を果たす。図１１に示されるように、光検出器５４が出力する検出信号が短いものから長いものに変化すると、この時、マイクロプロセッサ５６は使用者が後ろ向きにフライホイール４２を回したと判断し、周知のフライホイールの後ろ向き、及び減少ボタン２２の機能を達成する。さらに、マイクロプロセッサ５６は実際の設定により異なる検出信号の代表する意義を改変でき、例えば長いものから短いものに変化する検出信号がフライホイール４２が後方に回されたことを示すものとすることができる。
【００２０】
図７に示されるように、本発明の着脱式フライホイール装置４０は電子機能により以下のようなブロックに分けられる。
【００２１】
開閉器５０は、接触され駆動される時、切り換え信号をマイクロプロセッサ５６に出力する。
【００２２】
光検出器５４は発光ダイオード５２の提供する光を受け取ると、検出信号をマイクロプロセッサ５６に送る。
【００２３】
マイクロプロセッサ５６は、切り換え信号と検出信号によりディスプレイ１０の表示設定値を調整する。切り換え信号を受け取ると、使用者が項目選択か或いは確認を実行したかを判断する。検出信号が長いものから短いものに変化する時は、使用者が周知の増加ボタン２６の機能を実行したと判断する。検出信号が短いものから長いものに変化する時は、使用者が周知の減少ボタン２２の機能を実行したと判断し、並びに調整した表示設定値をディスプレイ１０に出力し、ディスプレイ１０の表示画面を調整する。
【００２４】
図８に示されるように、本発明の着脱式フライホイール装置はディスプレイ１０の下方のほか、ディスプレイ１０のその他の位置、例えば位置６０に設置可能で、これにより特定の使用者の要求を満足させる。本発明の着脱式フライホイール装置４０は二つの制御信号（当然、電源信号にも組み合わせる必要がある）を出力するだけで、即ち２本の制御信号線に対応し、並びにマイクロプロセッサ５６がディスプレイ１０内部に置かれ、ゆえに配線に実施上の困難はない。
【００２５】
使用者はただフライホイール４２を回転させるか或いは押し下げるだけで、ディスプレイの表示設定値の調整を実行でき、その動作は簡単で直感的であり、使用者の視線をディスプレイに停留させることができ、往復移動させる必要がなく、疲労を覚えさせない。このほか、光学技術を使用してフライホイール４２の回転方向を判断し、正確であるだけでなく、機械式構造の機械式構造の磨損と灰塵敏感度が高くなる欠点を防止できる。以上から分かるように、本発明の着脱式フライホイール装置４０は従来の技術に較べて著しい進歩性を具えている。
【００２６】
以上の実施例は本発明の実施範囲を限定するものではなく、本発明に基づきなしうる細部の修飾或いは改変は、いずれも本発明の請求範囲に属するものとする。
【図面の簡単な説明】
【００２７】
【図１】周知のオンスクリーンディスプレイの表示図である。
【図２】周知のディスプレイの表示設定値の表示図である。
【図３】周知のディスプレイの表示設定値の表示図である。
【図４】周知のボタン式調整器２０の表示図である。
【図５】周知のフライホイール式調整器３０の表示図である。
【図６】本発明の着脱式フライホイール装置４０の表示図である。
【図７】本発明の着脱式フライホイール装置４０のブロック図である。
【図８】本発明の着脱式フライホイール装置４０を使用したディスプレイの表示図である。
【図９】本発明中のフライホイール４２の表示図である。
【図１０】本発明の検出信号が長いものから短いものに変化する波形図である。
【図１１】本発明の検出信号が短いものから長いものに変化する波形図である。
【符号の説明】
【００２８】
１０  ディスプレイ      ２０  ボタン式調整器      ２２  減少ボタン
２４  選択ボタン        ２６  増加ボタン          ３０  フライホイール式調整器
３２  選択ボタン        ４０  着脱式フライホイール装置
４２  フライホイール    ４４  横棒                ４６  支持フレーム
４８  支持バネ          ５０  開閉器              ５４  光検出器
５６  マイクロプロセッサ
【図１】
2005093409.tif 000003
【図２】
2005093409.tif 000004
【図３】
2005093409.tif 000005
【図４】
2005093409.tif 000006
【図５】
2005093409.tif 000007
【図６】
2005093409.tif 000008
【図７】
2005093409.tif 000009
【図８】
2005093409.tif 000010
【図９】
2005093409.tif 000011
【図１０】
2005093409.tif 000012
【図１１】
2005093409.tif 000013
【手続補正書】
【提出日】平成15年11月28日(2003.11.28)
【手続補正１】
【補正対象書類名】図面
【補正対象項目名】図１０
【補正方法】変更
【補正の内容】
【図１０】
2005093409.tif 000014
【手続補正２】
【補正対象書類名】図面
【補正対象項目名】図１１
【補正方法】変更
【補正の内容】
【図１１】
2005093409.tif 000015